(57)【要約】      （修正有）【課題】本発明は、第１の指先の触覚を利用して表示内容と関係付けて入力することができ、第２の指先で入力内容を確定できる極小サイズの入力装置を備えた表示機能付電子機器を提供することを目的とする。【解決手段】本発明の表示機能付電子機器１は、触覚入力用凸部３ａが複数設けられた触覚入力部３と、触覚入力用凸部３ａ等の押圧により入力信号を生成する入力制御手段と、触覚入力用凸部３ａ等と関係付けられた入力用項目表示を行う表示部１ａと、この入力用項目表示の中の１項目を入力信号によってイベント表示する表示制御手段と、確定信号を入力できる確定ボタン４とを備え、触覚入力部３と確定ボタン４とが指先操作可能な距離だけ離して配設され、触覚入力用凸部３ａと対応する入力用項目表示の中の１項目を暫定的にイベント表示し、確定ボタン４を押圧することによって該項目を確定することを特徴とする。【選択図】        図１
2004295716.tif 000002
【特許請求の範囲】
【請求項１】
触覚入力用凸部が複数設けられた触覚入力部と、前記触覚入力用凸部の押圧により入力信号を生成する入力制御手段と、前記触覚入力用凸部と関係付けられた入力用項目表示を行うことができる表示部と、前記入力用項目表示のためのデータを記憶したメモリー部と、前記メモリー部から読み出したデータにより前記表示部に入力用項目表示が行われているとき、前記触覚入力用凸部と関係付けられた入力用項目表示の中の１項目を前記入力信号によってイベント表示する表示制御手段と、該項目がイベント表示されたとき確定信号を入力できる確定スイッチと、を備えた表示機能付電子機器であって、
前記触覚入力部と前記確定スイッチとが指先操作可能な距離だけ離して配設され、
第１の指先で前記触覚入力用凸部を押圧することにより、前記表示部で表示された該触覚入力用凸部と対応する入力用項目表示の中の１項目を暫定的にイベント表示し、第２の指先で前記確定スイッチを押圧することによって該項目を確定することを特徴とする表示機能付電子機器。
【請求項２】
前記表示部と前記表示制御手段とが設けられた本体と、前記本体を腕に装着するためのバンドと、前記入力制御手段が配設されるとともに前記触覚入力部と前記確定スイッチとが指先操作可能な距離だけ離して配設されたフレキシブル基板と、を備え、前記フレキシブル基板が該バンドの中に設けられたことを特徴とする請求項１記載の表示機能付電子機器。
【請求項３】
前記触覚入力部が前記バンドの前記本体と対向方向且つ外向きに設けられるとともに、前記確定スイッチが前記本体の近くのバンドに設けられ、人差し指で前記触覚入力用凸部を押圧し、親指で前記確定スイッチを押圧することを特徴とする請求項２記載の表示機能付電子機器。
【請求項４】
前記触覚入力部が前記本体の近くのバンドに設けられるとともに、前記確定スイッチが前記バンドの前記本体と対向方向且つ外向きに設けられ、人差し指で前記確定スイッチを押圧し、親指で前記触覚入力部を押圧することを特徴とする請求項２記載の表示機能付電子機器。
【請求項５】
前記触覚入力用凸部には、縦３列、横４行に並んだ１２個の凸部と、２個の機能用凸部とを設けられたことを特徴とする請求項１〜４のいずれかに記載の表示機能付電子機器。
【請求項６】
前記入力制御手段がタッチパネルスイッチであって、前記触覚入力部が該タッチパネルスイッチの表面に貼着されていることを特徴とする請求項１〜５のいずれかに記載の表示機能付電子機器。
【請求項７】
請求項１〜６のいずれかに記載の表示機能付電子機器が携帯情報端末であって、無線送受信部と音声回路部とを備え、通信情報を表示するための表示部に前記入力用項目表示を行うことを特徴とする表示機能付電子機器。
【発明の詳細な説明】
【０００１】
【発明の属する技術分野】
本発明は、指先の触覚を利用して入力でき、表示部に表示された暫定的な入力内容をみて別の指先で入力内容の確定を行う表示機能付電子機器に関する。
【０００２】
【従来の技術】
近年、携帯電話等の携帯情報端末の普及は目覚しく、携行するのに便利なように小型化が図られ、インターネットや画像の送受信のサービスが享受可能で、ＬＣＤ等のディスプレィをできるだけ大きくしてできるだけ見易い画面表示が望まれるようになってきている。
【０００３】
しかし、携帯情報端末にとって、従来から用いられてきたキーボタン構造を使う限り、大きなディスプレィとするには明らかに限界があった。そこで、背面手書き入力を行う携帯電話が提案された（特許文献１参照）。図１０（ａ）は従来の背面手書き入力を行う携帯電話の背面側斜視図、図１０（ｂ）は従来の背面手書き入力を行う携帯電話の正面側斜視図、図１１はは従来の背面手書き入力を行う携帯電話のブロック図である。図１０（ａ）（ｂ）において、１２０は携帯電話の背面側に設けられたタッチパネル、１２１は携帯電話の各種表示を行うＬＣＤ表示部、１２２はテンキー等のキーボタン、１２３は操作をする手である。また、図１１において、１２０ａはタッチパネル１２０を動作させるためのタッチパネル駆動手段、１２１ａはＬＣＤ表示部１２１を動作させるＬＣＤ駆動手段、１２２ａはキーボタン１２２から押下を入力信号として伝える操作駆動手段である。この背面手書き入力の携帯電話は、キーボタン１２２でキー押下情報を与えるとともに、タッチパネル１２０からの手書き入力で線、数字、ひらがな、カタカナ、アルファベット入力を行うものである。
【０００４】
そして、最近では例えば腕時計型の無線電話装置が提案されている（特許文献２参照）。図１２は従来の腕時計型の無線電話装置の斜視図である。図１２に示すように、腕時計型の無線電話装置２０１は、送受信装置本体を内蔵のケース２０２と、電池、通話用マイクロホン２１５及びスピ−カを搭載のバンド２０３から構成され、ケース２０２には無線用アンテナ２０８が直接的若しくは間接的に可動状態に配設され、ケース２０２の表面には入力装置２１０のボタン若しくはキーボード及び液晶式表示装置２１１の画面が設けられ、バンド２０３は、通話用マイクロフォン２１５及びスピーカが、個別の装置若しくは併用の装置にして搭載されていて、バンド２０３に搭載の電池により無線電話装置２０１が動作するものに構成されている。これによって自然な動作で送受信でき、優れた操作性を使用者に与えて、電子回路及び通信技術等の進歩、無線電話の多機能化等にも適応できる構造であって、大容量の電池等の搭載も可能となるものである。
【０００５】
【特許文献１】
特開２０００−２７８３９１号公報
【特許文献２】
特開平９−５５６７９号公報
【０００６】
【発明が解決しようとする課題】
以上説明したように、従来の携帯情報端末のキーボタン構造では、指先が１つのキーボタンを確実に押せるだけの表面積と、２つ以上のキーボタンを同時に押さないようにボタンの間に距離をおく必要があった。このため、大きなディスプレィを携帯電話等に搭載できず、画像や動画を頻繁に送受信する将来の携帯情報端末の大きな課題となっていた。
【０００７】
また、図１０に示す従来の背面手書き入力の携帯電話は、タッチパネルを背面側に配置したため、正面側のキーボタンの数が減ってＬＣＤを若干大きなものを採用することはできるが、手書き入力のための操作はきわめて煩雑であった。しかも、文字認識の精度も悪く、背面のタッチパネルを見ながら入力し、表示は正面のＬＣＤを見るというのは使い勝手が悪いものであった。そして、ディスプレィをできるだけ大きくしたり、携帯情報端末自体を小型化するという点では、課題が残るものであった。
【０００８】
さらに、図１１に示す腕時計型の無線電話装置をより小型のものにするには、キーボードの各ボタンの大きさを小さくするしかなく、２つ以上のボタンを押さないで、ボタンの数と大きさを小さくするにはどうしても限界があった。
【０００９】
そこで、本発明は、第１の指先の触覚を利用して表示内容と関係付けて入力することができ、第２の指先で入力内容を確定できる極小サイズの入力装置を備え、表示部を大きくできる表示機能付電子機器を提供することを目的とする。
【００１０】
【課題を解決するための手段】
以上説明した従来の課題を解決するために本発明の表示機能付電子機器は、触覚入力用凸部が複数設けられた触覚入力部と、触覚入力用凸部の押圧により入力信号を生成する入力制御手段と、触覚入力用凸部と関係付けられた入力用項目表示を行うことができる表示部と、表示部に入力用項目表示が行われているとき、触覚入力用凸部と関係付けられた入力用項目表示の中の１項目を入力信号によってイベント表示する表示制御手段と、確定信号を入力できる確定スイッチとを備え、触覚入力部と確定スイッチとが指先操作可能な距離だけ離して配設され、第１の指先で触覚入力用凸部を押圧することにより、表示部で表示された該触覚入力用凸部と対応する入力用項目表示の中の１項目を暫定的にイベント表示し、第２の指先で確定スイッチを押圧することによって該項目を確定することを特徴とする。
【００１１】
これにより、第１の指先の触覚を利用して表示内容と関係付けて入力することができ、第２の指先で入力内容を確定できる極小サイズの入力装置を備え、表示部を大きくできる表示機能付電子機器を提供することができる。
【００１２】
【発明の実施の形態】
本発明の第１の発明は、触覚入力用凸部が複数設けられた触覚入力部と、触覚入力用凸部の押圧により入力信号を生成する入力制御手段と、触覚入力用凸部と関係付けられた入力用項目表示を行うことができる表示部と、入力用項目表示のためのデータを記憶したメモリー部と、メモリー部から読み出したデータにより表示部に入力用項目表示が行われているとき、触覚入力用凸部と関係付けられた入力用項目表示の中の１項目を入力信号によってイベント表示する表示制御手段と、該項目がイベント表示されたとき確定信号を入力できる確定スイッチと、を備えた表示機能付電子機器であって、触覚入力部と確定スイッチとが指先操作可能な距離だけ離して配設され、第１の指先で触覚入力用凸部を押圧することにより、表示部で表示された該触覚入力用凸部と対応する入力用項目表示の中の１項目を暫定的にイベント表示し、第２の指先で確定スイッチを押圧することによって該項目を確定することを特徴とする表示機能付電子機器であり、指先で触覚入力用凸部を押圧することにより入力制御手段から入力信号を入力すると、触覚入力用凸部と対応する入力用項目表示を暫定的に特定表示し、これを確定スイッチで確定して入力を完了するので、入力という機能を、暫定入力機能、確認用表示機能、確定機能という３つの機能に分解でき、この機能分離により、入力のための触覚入力部を指先の触覚で認識して接近した配置の極小のサイズにすることができる。キーボードを表示部から離したので表示部を大きくすることができる。
【００１３】
本発明の第２の発明は、第１の発明において、表示部と表示制御手段とが設けられた本体と、本体を腕に装着するためのバンドと、入力制御手段が配設されるとともに触覚入力部と確定スイッチとが指先操作可能な距離だけ離して配設されたフレキシブル基板と、を備え、フレキシブル基板が該バンドの中に設けられたことを特徴とする表示機能付電子機器であり、本体に表示部と表示制御手段を設け、これを装着するためのバンドの中にフレキシブル基板を設けたため、バンドの２箇所にそれぞれ触覚入力部と確定スイッチを設けて第１の指先と第２の指先とで暫定入力と確定入力を機能分離して入力できる。腕時計のようにバンドを装着して、極小サイズの触覚入力部と確定スイッチを指で操作するだけで入力を行える。
【００１４】
本発明の第３の発明は、第２の発明において、触覚入力部がバンドの本体と対向方向且つ外向きに設けられるとともに、確定スイッチが本体の近くのバンドに設けられ、人差し指で触覚入力用凸部を押圧し、親指で確定スイッチを押圧することを特徴とする表示機能付電子機器であり、人差し指で触覚入力用凸部を押圧し、親指で確定スイッチを押圧することができる。
【００１５】
本発明の第４の発明は、第２の発明において、触覚入力部が本体の近くのバンドに設けられるとともに、確定スイッチがバンドの本体と対向方向且つ外向きに設けられ、人差し指で確定スイッチを押圧し、親指で触覚入力部を押圧することを特徴とする表示機能付電子機器であり、人差し指で確定スイッチを押圧し、親指で触覚入力部を押圧することができる。
【００１６】
本発明の第５の発明は、第１〜４のいずれかの発明において、触覚入力用凸部には、縦３列、横４行に並んだ１２個の凸部と、２個の機能用凸部とを設けられたことを特徴とする表示機能付電子機器であり、１２個の凸部の配列はそのまま「１」「２」・・「９」「０」「＊」「＃」のテンキーのレイアウトに対応させることができ、通常のテンキーの感覚で扱うことができる。２個の機能用凸部を使うことにより、表示部の複数の入力用項目表示に対する入力を機能用凸部で該当する機能処理することができる。
【００１７】
本発明の第６の発明は、第１〜５のいずれかの発明において、入力制御手段がタッチパネルスイッチであって、触覚入力部が該タッチパネルスイッチの表面に貼着されていることを特徴とする表示機能付電子機器であり、タッチパネルスイッチの表面に触覚入力用凸部を一体形成し貼着するだけで極小サイズの入力装置を構成することができる。
【００１８】
本発明の第７の発明は、請求項１〜６のいずれかに記載の表示機能付電子機器が携帯情報端末であって、無線送受信部と音声回路部とを備え、通信情報を表示するための表示部に入力用項目表示を行うことを特徴とする表示機能付電子機器であり、携帯情報端末を極小サイズの入力装置により人差し指と親指が扱うことができる。
【００１９】
（実施の形態１）
以下、本発明の実施の形態１における表示機能付電子機器について説明する。実施の形態１における表示機能付電子機器は携帯情報端末である。図１（ａ）は本発明の実施の形態１における表示機能付電子機器の正面側からの本体斜視図、図１（ｂ）は本発明の実施の形態１における表示機能付電子機器の触覚入力部の斜視図、図２は本発明の実施の形態１における表示機能付電子機器を操作している正面側からの斜視図である。
【００２０】
図１（ａ）（ｂ）において、１は手首等に装着できる携帯電話等や携行型ゲーム機等のディスプレーを備えた表示機能付電子機器、１ａはＬＣＤ等の表示機能付電子機器１の表示部、２は表示機能付電子機器１を手首等に装着するためのバンド、１ｂは図示しない電子機器制御モジュール等を内蔵する表示機能付電子機器１の本体、３は表示機能付電子機器１のバンド２に設けられた触覚入力部、３ａは指先の触覚で触れて表示部１ａに表示されたメニュー（本発明の入力用項目表示）の中で該当する項目や文字等の入力を行う触覚入力用凸部、３ｂ１，３ｂ２は別の触覚入力用凸部であって同じく触覚入力を行い表示内容をクリアまたは暫定的に確定するための機能用凸部、３ｃは触覚入力用凸部３ａや機能用凸部３ｂ１，３ｂ２が形成された入力プレート、４は触覚入力用凸部３ａや機能用凸部３ｂ１，３ｂ２に触れたことにより表示部１ａに表示された項目のイベント表示を見て確定する確定ボタンである。
【００２１】
図１（ａ）（ｂ）からも分かるように、表示機能付電子機器１の本体１ｂと触覚入力部３は、互いにバンド２の反対側で対向した位置（周上の２点）でそれぞれ外向きに設けられている。なお、図１（ａ）の表示部１ａには、後述の図６（ａ）の操作画面が表示されている。実施の形態１のバンド２は比較的硬質の樹脂で成形され自身の弾力で係止部によって手首に係止可能で、一方のバンド２の端部表面に触覚入力部３が形成され、使用者はバンド２の中へ手を挿入して使用する。なお、バンド２はこのような当接型のものに限られず、フレキシブルなバンドや金具で締結するバンド等でもよい。これらについては実施の形態２で説明する。また、手首や腕に装着するバンドだけでなく、触覚入力が可能なら他の部位に装着するものでもよい。確定ボタン４と入力プレート３ｃは、指先による入力が容易となるように両者の距離と向きが選択される必要がある。確定ボタン４は押下するボタンのほかに、スライドさせて入力するスイッチ、あるいはジョイスティックのようなスイッチとするのでもよい。
【００２２】
次いでこの表示機能付電子機器をどのように使用するかについて図２に示している。図２の表示部１ａには、図１（ａ）と同様に図６（ａ）の操作画面が表示されている。表示機能付電子機器１の本体１ｂの傍には確定ボタン４が設けられ、手首の反対側には触覚入力部３（図２においては図示しない）が確定ボタン４と指先操作可能な距離（親指と人差し指の間の掌の曲線長さ）離して設けられている。この状態で、入力プレート３ｃの表面を人差し指で探りながら押圧すると、最も強い圧力を受けた触覚入力用凸部３ａからの信号により、この触覚入力用凸部３ａと関係付けられた表示部１ａの画面上の所定位置（入力用項目表示の所定項目位置）が反転表示（実施の形態１のイベント表示）され、指先の移動とともに反転位置が移動する。例えば、図６（ａ）の操作画面の「かな」の位置と対応した触覚入力用凸部３ａに触れると、項目「かな」が反転する。所定の触覚入力用凸部３ａの押圧があったというイベントの発生に伴って、これを報知すべく表示部１ａに表示するものである。なお、反転でなく点滅、着色等の他のイベント表示でもよい。指先が機能用凸部３ｂ１，３ｂ２に触れると、それぞれ操作画面のクリアまたは確定（リターン）の表示が反転する。クリアの表示を反転させた状態で確定ボタン４を押すと、確定信号が入力され、選択していた機能がクリアされる。また、例えば操作画面で「コピー」機能を選択し、図示しないコンテンツ表示の中でコピー箇所をカーソルで選択し、機能用凸部３ｂ２を軽く押して操作画面上の確定（リターン）の表示を選択し、コピー箇所を決定した上で確定ボタン４を押すと、コピー箇所のデータがメモリに取り込まれる。なお、このとき同時にコピー履歴も記録される。また確定（リターン）の表示は文字入力のときの改行の機能も与えられている。このようにして触覚入力用凸部３ａや機能用凸部３ｂ１，３ｂ２に触れることにより、表示部１ａの入力用項目表示から希望の項目を反転表示させ、確定ボタン４を押下することで入力することができる。
【００２３】
図３は本発明の実施の形態１における表示機能付電子機器の触覚入力部の断面図である。図３において、５は入力プレート３ｃの背面側に配設され、複数の触覚入力用凸部３ａの位置に対応して後述の導通用接点７が複数設けられた入力用フレキシブル基板（本発明の実施の形態１のフレキシブル基板）である。入力用フレキシブル基板５の導通用接点７には導通したとき入力信号を発生するための電圧が加えられている。６は入力プレート３ｃの入力用フレキシブル基板５側に印刷等によって形成された感圧可変抵抗層、７は触覚入力用凸部の位置に対応して入力用フレキシブル基板５上に印刷等によって形成された導通用接点、８は感圧可変抵抗層６に触覚入力用凸部から力が加わって抵抗値が低下したとき、導電性を向上させるために設けられた導電層である。
【００２４】
感圧可変抵抗層６はカーボンブラック、カーボンファイバー、グラファイト等の導電性物質をシリコンゴム等に混合したもので、圧力がかかっていないときには高抵抗もしくは非導通であるが、この層を挟んで圧力が加えられると加圧方向が低抵抗になる。導電層８は感圧可変抵抗層６が低抵抗になったとき導電性を向上させるためのもので、入力プレート３ｃ上に薄膜で形成されている。従って、入力プレート３ｃに設けられた触覚入力用凸部が押圧されると、所定位置の導通用接点７と感圧可変抵抗層６は電流が流れることになる。
【００２５】
入力用フレキシブル基板５は、図示しないが、触覚入力部３の側面から外部に取り出され、バンド２の中に埋め込まれ、または挟持され、表示機能付電子機器１の本体１ｂ内部のインタフェースに接続される。実施の形態１の入力制御手段は、入力用フレキシブル基板５を触覚入力部３のための入力用基板とフレキシブル基板として共用するものである。表示機能付電子機器１の本体１ｂまでの入力用フレキシブル基板５上には、確定ボタン４と、これによって入接されるスイッチ（図示しない）が設けられている。なお、以上説明した入力制御手段の構成は、押圧によって機械的に接触若しくは導通し、該当する位置と関係付けられてプルアップ電圧が低下するようなスイッチアレイであれば、どのような構成のものでもよい。
【００２６】
次に、実施の形態１の触覚入力用凸部３ａの配列について説明する。図４（ａ）は本発明の実施の形態１における表示機能付電子機器の触覚入力部の第１のレイアウト図、図４（ｂ）は本発明の実施の形態１における表示機能付電子機器の触覚入力部の第２のレイアウト図、図４（ｃ）は本発明の実施の形態１における表示機能付電子機器の触覚入力部の第３のレイアウト図である。
【００２７】
図３に示すように１２個形成された触覚入力用凸部３ａはそれぞれ入力プレート４と一体成形されており、図４（ａ）に示すレイアウトでは、触覚入力用凸部３ａが横３列×縦４行で配列され、両サイドに機能用凸部３ｂ１，３ｂ２が形成されている。両サイドに機能用凸部３ｂ１，３ｂ２が設けられているため、ベルト２の横幅が広いとき有効で、長手方向の幅が小さくなる。図４（ｂ）のレイアウトでは、触覚入力用凸部３ａの配列は同じであるが、長手方向上側（指を伸ばす方向）に並べて配置される。ベルト２の横幅が狭いとき有効で、触覚入力部３の横幅方向が小さくなる。さらに、図４（ｃ）のレイアウトでは、機能用凸部３ｂ１，３ｂ２は上下両側に配置される。この場合は（ｂ）と同様、ベルト２の横幅が狭いとき有効で、（ｂ）では機能用凸部３ｂ１，３ｂ２が小さくなり、操作性が悪くなるが、これが大きく形成できる。
【００２８】
図４（ａ）（ｂ）（ｃ）に示す実施の形態１の触覚入力部３においては、触覚入力用凸部３ａ間の横方向ピッチは４．５ｍｍ〜８ｍｍの内の７ｍｍ、縦方向ピッチは４．０ｍｍ〜７．０ｍｍの内の６．５ｍｍに設定されている。また、触覚入力用凸部３ａはいずれも直径２．５ｍｍで高さ１ｍｍの半球状の凸部として形成されている。これに対し、触覚入力用凸部３ａは、直径１．８ｍｍで高さ０．５ｍｍの比較的小さ目の半球状の凸部として形成されている。なお、ここで半球状というのは完全な半球だけでなく、ほぼ半球状となった形状のものである。触覚入力用凸部３ａをこのようなピッチで配列するため指先にスライドにより簡単に入力することができる。機能用凸部３ｂ１，３ｂ２は長さ８ｍｍ〜１２ｍｍ、幅２ｍｍ〜４ｍｍである。
【００２９】
実施の形態１における表示機能付電子機器１として、携帯電話やＰＤＡ等の携帯情報端末を取り上げてその説明を行う。図５は本発明の実施の形態１における表示機能付電子機器の触覚入力部の構成図である。図５において、２０はアンテナ、２１はアンテナ２０で送受信する無線信号の処理を行う無線送受信部、２２はＭＩＤＩ機能や音声機能を処理する音声回路部、２３は音声通話やメロディを出力するスピーカー、２４は音声通話用のマイクである。２５はＬＣＤ等の表示部１ａに各種情報、電話番号等を表示するとともに、指先触覚入力された位置を表示部１ａに表示する表示制御手段である。
【００３０】
２６は携帯情報端末全体の制御を行う制御部、２７は制御部２６にロードする各種プログラムやデータを格納したメモリー部である。２８は指先触覚入力部３の押圧で入力信号を生成して制御部２６に出力し、確定ボタン４の押圧で確定信号を出力できる入力制御手段である。
【００３１】
この表示機能付電子機器１の触覚入力部３では、入力プレート３ｃ上で指先を左右上下に僅かに移動して、表示部１ａに表示された特定の項目と関係付けられた触覚入力用凸部３ａや機能用凸部３ｂ１，３ｂ２に触れてこれを選択し、確定ボタン４を押下することにより、確定的に入力することができる。
【００３２】
そこで、以下表示部１ａで行われる入力項目表示項目について例をあげて説明する。図６（ａ）は本発明の実施の形態１における表示機能付電子機器の触覚入力部の第１の表示の説明図、図６（ｂ）は同触覚入力部の第２の表示の説明図、図６（ｃ）は同触覚入力部の第３の表示の説明図、図６（ｄ）は同触覚入力部の第４の表示の説明図である。
【００３３】
図６（ａ）は上述したようにメインのコンテンツ画面に対する操作画面である。ベルト２に設けられた入力プレート３ｃの表面を人差し指で移動し、最も強い圧力を受けた触覚入力用凸部３ａからの信号によって、この触覚入力用凸部３ａと関係付けられた図６（ａ）のいずれかの位置の機能、「貼付」、「コピー履歴」、「切取」、「完了」、「電話帳」、「コピー」、「かな」、「補助」、項目移動（もしくはスクロール）のための４つの三角印（入力用項目表示の各項目）が反転表示され、指先の移動とともに反転位置が移動する。例えば、「電話帳」に対応した触覚入力用凸部３ａに触ると、「電話帳」の表示が反転する。ここで確定ボタン４を押すと、電話帳メニューが開く。電話帳を検索して電話番号を選択し、再び確定ボタン４を押すと電話発信画面に切り替わる。
【００３４】
図６（ｂ）は電話番号等の数字入力を行う入力用項目表示の入力画面である。数字入力を行う場合、図４（ａ）に示す１番上の行の触覚入力用凸部３ａで左から図６（ｂ）の数字「３」、数字「２」、数字「１」に対応し、２番目の行の触覚入力用凸部３ａが左から数字「６」、数字「５」、数字「４」に対応し、３番目の行の触覚入力用凸部３ａが数字「９」、数字「８」、数字「７」、最後の行の触覚入力用凸部３ａが左から数字「＃」、数字「０」、数字「＊」に対応している。これら数字等が入力項目表示の各項目となる。
【００３５】
なお、実施の形態１の数字入力は電子メールで数字入力する入力画面と、電話番号等を入力する入力用項目表示の入力画面は別の画面が用意されている。電子メールで数字入力する場合、数字「＃」に代えて「機能」の項目表示、数字「＊」に代えて「文字」の項目表示が行われる。「機能」の表示から図６（ａ）の操作画面を呼出し、文字の「表示」からひらかな、カタカナ、数字、これらの半角、全角の入力画面が呼び出される。
【００３６】
なお、入力プレート３ｃが表示機能付電子機器１の本体１ｂの背面側のバンド２に設けられているために、テンキー配列をいわば裏側から操作することになり、鏡像配列となっている。ただ、操作は図６（ｂ）の表示画面の数字の位置の裏側から直接押すような感じとなり、押し間違いが少なくなる。
図６（ｃ）の文字入力は「かな」入力であり、図６（ａ）の「かな」を選んで確定ボタン４を押したとき表示される。「ひらかな」の外に、カタカナ、数字、またそれぞれ半角、全角の選択画面が設けられ、任意に選択できる。いずれも「かな」の各行の先頭を表示する。図６（ｃ）はこの選択画面から開いた画面で、各行の先頭の文字、例えば「た」を表示しており、これを選んで確定ボタン４を押下すると、図６（ｄ）に示す「た」行の項目内容である「た」「ち」「つ」「て」「と」「っ」「だ」「ぢ」「づ」「で」「ど」が表示される。ユーザはこのいずれかを選んで「ひらかな」による入力を行う。１字ごと入力し、確定ボタン４を押すことにより、繰返し図６（ｃ）の画面に戻って文字入力を待つことになる。連続で何字か文字入力すると、表示画面上には最終的に確定していない文字列が表示される。この状態で「完了」を選んで暫定的に確定するとともに、かな漢字変換を行って、変換後、確定ボタン４を押して最終的に確定する。なお、入力方式やかな漢字変換にも多くの方式があり、以上説明した方式に限られないし、予想される漢字の一覧を表示する予測変換方式等も採用することが可能である。
【００３７】
このように実施の形態１の表示機能付電子機器１は、ベルト２に設けられた入力プレート３ｃの表面を人差し指でスライドし、指先で最も強い圧力を受けた触覚入力用凸部３ａからの信号によって、この触覚入力用凸部３ａと関係付けられた表示部１ａの表示項目を選択し、親指で確定ボタン４を押すことにより、表示や機能が確定される。なお、確定ボタン４と触覚入力部３の配置を逆にして、親指で触覚入力用凸部３ａを操作し、人差し指で確定ボタン４により確定するのでも同様である。
【００３８】
触覚入力用凸部３ａを指先の触覚で探り、その結果は表示部１ａに表示し、希望する表示や機能を選択できたとき、別の指先で確定ボタン４を押すから、触覚入力部３を従来のキーボードのように１つ１つ確定的に入力するのではなく、人差し指等の指先で暫定的に入力を行い、表示された内容から希望の表示や機能を決定し、確定は親指等の別の指で行い、入力という機能を、暫定入力機能、確認用表示機能、確定機能という３つの機能に分解できる。この機能分離により、従来のキーボードを触覚入力用凸部３ａ、機能用凸部３ｂ１，３ｂ２は、指先の触覚で認識できる大きさで接近配置することが可能となり、極小のサイズにすることが可能になる。
【００３９】
（実施の形態２）
図７（ａ）は本発明の実施の形態２における表示機能付電子機器の触覚入力部の正面図とそのＡ−Ａ断面図、図７（ｂ）は本発明の実施の形態２における表示機能付電子機器の別の触覚入力部の断面図、図８は図７（ａ）（ｂ）の表示機能付電子機器の断面図である。実施の形態２の表示機能付電子機器は、実施の形態１の表示機能付電子機器と基本的に同一の構成を有しており、同一符号は同一構成を示すから、詳細な説明は実施の形態１に譲ってここでは省略する。
【００４０】
図７（ａ）において、３ｄは触覚入力用凸部３ａが形成された入力シート、９は表面を押圧するとその点の位置に対応した信号を出力できるタッチパネルスイッチ（本発明の実施の形態２の入力制御手段）、１０はタッチパネルスイッチ９から出力された信号を外部に出力できるフレキシブル基板である。入力シート３ｄには触覚入力用凸部３ａが１２個設けられており、タッチパネルスイッチ９の表面に貼着される。
【００４１】
入力シート３ｄの触覚入力用凸部３ａが押圧されると、その位置のタッチパネルスイッチ９は入力信号をフレキシブル基板１０から出力することができる。
【００４２】
また、図７（ｂ）において、３ｅは触覚入力用凸部３ａが形成された触覚入力カバー、９は触覚入力カバー３ｅが貼着されたタッチパネルスイッチ、１０はフレキシブル基板である。触覚入力カバー３ｅは触覚入力用凸部３ａをシート上に一体成形され、タッチパネルスイッチ９の表面に貼着される。その機能は図５（ａ）に示す触覚入力部３と同様である。
【００４３】
図８に示す表示機能付電子機器１は、タッチパネルスイッチ９を使い、フレキシブルなバンド２を使ったものである。図８において、１ｃは表示部１ａの表面を覆う透明カバー、２ａ，２ｂは樹脂等で形成されたフレキシブルな固定バンド、２ｃは固定バンド２ａ，２ｂを重ねて係止するための係止部、１１は制御部２６や音声回路部２２、無線送受信部２１等を設けられフレキシブル基板１０と接続される電子機器制御モジュールである。
【００４４】
フレキシブルな固定バンド２ａ，２ｂは表示機能付電子機器１の本体１ｂにそれぞれ一端側が係止される。固定バンド２ａの他端部には係止部２ｃが形成され、触覚入力部３とタッチパネルスイッチ９が設けられる。この固定バンド２ａの中にはフレキシブル基板１０が設けられている。フレキシブル基板１０の表示機能付電子機器１の本体１ｂの傍には確定ボタン４が設けられ、押下されるとスイッチ入力される。
【００４５】
実施の形態２の表示機能付電子機器は、タッチパネルスイッチ９を用いることにより、構造がシンプルで、組み立ても容易になる。
【００４６】
（実施の形態３）
図９（ａ）は本発明の実施の形態３における表示機能付電子機器の正面図、図９（ｂ）は本発明の実施の形態３における表示機能付電子機器の触覚入力部の外観図である。
【００４７】
実施の形態３の表示機能付電子機器１は、実施の形態１，２の表示機能付電子機器１のようにバンド２，２ａ，２ｂを設けるのではなく、表示機能付電子機器１の背面に触覚入力部３を設け、本体１ｂの側面に確定ボタン４を設けたものである。
【００４８】
実施の形態３の表示機能付電子機器１は、人差し指で触覚入力部３から入力し、親指で本体１ｂ側面の確定ボタン４を操作するので操作が容易であり、人差し指等の指先で触覚入力部３から暫定的に入力を行い、表示された内容から希望の表示や機能を決定し、確定は親指等の別の指で行い、入力という機能を、暫定入力機能、確認用表示機能、確定機能という３つの機能に分解できる。この機能分離により、従来のキーボードを触覚入力用凸部３ａ、機能用凸部３ｂ１，３ｂ２として極小のサイズにすることが可能になる。
【００４９】
【発明の効果】
本発明の指先触覚入力装置によれば、指先で触覚入力用凸部を押圧することにより入力制御手段から入力信号を入力すると、触覚入力用凸部と対応する入力用項目表示を暫定的に特定表示し、これを確定スイッチで確定して入力を完了するので、入力という機能を、暫定入力機能、確認用表示機能、確定機能という３つの機能に分解でき、この機能分離により、入力のための触覚入力部を指先の触覚で認識して接近した配置の極小のサイズにすることができる。
【００５０】
本体に表示部と表示制御手段を設け、これを装着するためのバンドの中にフレキシブル基板を設けたため、バンドの２箇所にそれぞれ触覚入力部と確定スイッチを設けて第１の指先と第２の指先とで暫定入力と確定入力を機能分離して入力できる。携帯情報端末の場合は、腕にバンドでこれを装着し、極小サイズの入力装置により人差し指と親指が扱うことができる。
【図面の簡単な説明】
【図１】（ａ）本発明の実施の形態１における表示機能付電子機器の正面側からの本体斜視図
（ｂ）本発明の実施の形態１における表示機能付電子機器の触覚入力部の斜視図
【図２】本発明の実施の形態１における表示機能付電子機器を操作している正面側からの斜視図
【図３】本発明の実施の形態１における表示機能付電子機器の触覚入力部の断面図
【図４】（ａ）本発明の実施の形態１における表示機能付電子機器の触覚入力部の第１のレイアウト図
（ｂ）本発明の実施の形態１における表示機能付電子機器の触覚入力部の第２のレイアウト図
（ｃ）本発明の実施の形態１における表示機能付電子機器の触覚入力部の第３のレイアウト図
【図５】本発明の実施の形態１における表示機能付電子機器の触覚入力部の構成図
【図６】（ａ）本発明の実施の形態１における表示機能付電子機器の触覚入力部の第１の表示の説明図
（ｂ）同触覚入力部の第２の表示の説明図
（ｃ）同触覚入力部の第３の表示の説明図
（ｄ）同触覚入力部の第４の表示の説明図
【図７】（ａ）本発明の実施の形態２における表示機能付電子機器の触覚入力部の正面図とそのＡ−Ａ断面図
（ｂ）本発明の実施の形態２における表示機能付電子機器の別の触覚入力部の断面図、
【図８】図７（ａ）（ｂ）の表示機能付電子機器の断面図
【図９】（ａ）本発明の実施の形態３における表示機能付電子機器の正面図
（ｂ）本発明の実施の形態３における表示機能付電子機器の触覚入力部の外観図
【図１０】（ａ）従来の背面手書き入力を行う携帯電話の背面側斜視図
（ｂ）従来の背面手書き入力を行う携帯電話の正面側斜視図
【図１１】従来の背面手書き入力を行う携帯電話のブロック図
【図１２】従来の腕時計型の無線電話装置の斜視図
【符号の説明】
１  表示機能付電子機器
１ａ  表示部
１ｂ  本体
１ｃ  透明カバー
２  バンド
２ａ，２ｂ  固定バンド
２ｃ  係止部
３  触覚入力部
３ａ  触覚入力用凸部
３ｂ１，３ｂ２  機能用凸部
３ｃ  入力プレート
３ｄ  入力シート
３ｅ  触覚入力カバー
４  確定ボタン
５  入力用フレキシブル基板
６  感圧可変抵抗層
７  導通用接点
８  導電層
９  タッチパネルスイッチ
１０  フレキシブル基板
１１  電子機器制御モジュール
２０  アンテナ
２１  無線送受信部
２２  音声回路部
２３  スピーカー
２４  マイク
２５  表示制御手段
２６  制御部
２７  メモリー部
２８  入力制御手段
【図１】
2004295716.tif 000003
【図２】
2004295716.tif 000004
【図３】
2004295716.tif 000005
【図４】
2004295716.tif 000006
【図５】
2004295716.tif 000007
【図６】
2004295716.tif 000008
【図７】
2004295716.tif 000009
【図８】
2004295716.tif 000010
【図９】
2004295716.tif 000011
【図１０】
2004295716.tif 000012
【図１１】
2004295716.tif 000013
【図１２】
2004295716.tif 000014